(57)【要約】【課題】ＦＲＰライニング作業性を向上し、かつ液漏れをなくしたＦＲＰライニング製ミキサセトラを提供する。【解決手段】セトラ室（９０）の内壁（１３）に一面を対向した山形の有機相仕切り（２０）で囲まれた扁平直方体の有機相出口室（３０）と、セトラ室（９０）の底隅部（１８）を山形の水相仕切り（４０）で囲まれた横長直方体の底部水相室（１４）と、セトラ室（９０）の壁隅部（１９）に直方体の水相ボックス（５０）を縦長に配設した界面調整器室（１５）とを備え、底部水相室（１４）および界面調整器室（１５）は水相の液体を通す水相の部屋（６０）であり、有機相の液体を通す有機相出口室（３０）から隔離され、有機相仕切り（２０）と水相仕切り（４０）と水相ボックス（５０）とを構成する板組部材（４０，２０，５０）は、液没露出面（２２，４２，１２）がＦＲＰライニング耐蝕層で形成された。【選択図】図２
2018023916.tif 000002
【特許請求の範囲】
【請求項１】
通液可能なセトラ室の内部に隔離された複数の部屋を有するＦＲＰ（Fiber Reinforced Plastics）ライニング製ミキサセトラであって、
前記セトラ室の内壁に一面を対向した山形の有機相仕切りで囲むことにより形成された扁平直方体の有機相出口室と、
前記セトラ室の底隅部を山形の水相仕切りで囲むことにより形成された横長直方体の底部水相室と、
前記セトラ室の壁隅部に直方体の水相ボックスを縦長に配設して形成された界面調整器室と、を備え、
前記底部水相室および前記界面調整器室は水相の液体を通液する水相の部屋であり、有機相の液体を通液する前記有機相出口室から隔離され、
前記有機相仕切りと前記水相仕切りと前記水相ボックスとをそれぞれ構成する板組部材は、少なくとも液没露出面がＦＲＰライニング耐蝕層により形成されたＦＲＰライニング製ミキサセトラ。
【請求項２】
前記ＦＲＰライニング耐蝕層には、計測可能な大きさのピンホールが存在しない請求項１に記載のＦＲＰライニング製ミキサセトラ。
【請求項３】
前記板組部材の芯部は、前記液没露出面を構成する前記ＦＲＰライニング耐蝕層と同一材質により一体形成されている請求項１に記載のＦＲＰライニング製ミキサセトラ。
【請求項４】
前記板組部材の芯部は、前記液没露出面を構成する前記ＦＲＰライニング耐蝕層とは異なる材質により構成された請求項１又は２に記載のＦＲＰライニング製ミキサセトラ。
【請求項５】
前記水相仕切りの上面の高さは、水相と有機相との界面レベルの下限以下に設定された請求項１〜４の何れかに記載のＦＲＰライニング製ミキサセトラ。
【請求項６】
前記セトラ室の底面を基準として、前記水相仕切りの上面までの高さから前記有機相仕切りの下面の高さまでの間隔を、３０ｃｍ以上確保して前記有機相仕切りを配設した請求項１〜５の何れかに記載のＦＲＰライニング製ミキサセトラ。
【請求項７】
前記水相ボックスの前記セトラ室側の板に切欠きを有する請求項１〜６の何れかに記載のＦＲＰライニング製ミキサセトラ。
【請求項８】
前記水相ボックス側の前記セトラ室の壁に施工用ハンドホールを配設した請求項１〜７の何れかに記載のＦＲＰライニング製ミキサセトラ。
【請求項９】
通液可能なセトラ室の内部に板組部材で隔離された複数の部屋を有するＦＲＰライニング製ミキサセトラの製造方法であって、
外郭のみが形成された段階の前記セトラ室の内壁に全体的なＦＲＰオーバーレイ施工をするセトラ室ＦＲＰ施工工程と、
前記板組部材を前記セトラ室に組み込む前の単品毎にＦＲＰオーバーレイ施工をする板組部材ＦＲＰ施工工程と、
前記板組部材および前記内壁のＦＲＰライニング耐蝕層にピンホール検査を行なって不合格ならば修繕するピンホール検査修繕工程と、
前記セトラ室の底隅部に横長直方体の底部水相室を形成するため、前記底隅部を囲む山形の水相仕切りを配設する底部水相室配設工程と、
山形でなる前記水相仕切りの内外表面のうち作業者の手が届く外側表面だけにＦＲＰオーバーレイ施工をする水相仕切り外側ＦＲＰ施工工程と、
前記セトラ室の底面を基準として、前記水相仕切りの上面の高さを確認する水相仕切り上面高さ確認工程と、
縦型扁平直方体の有機相出口室を形成するため、前記セトラ室の前記内壁に一面を対向して囲む山形の有機相仕切りの下面を、前記底面を基準として高さを確認する有機相仕切り下面高さ確認工程と、
前記水相仕切りの上面の高さから前記有機相仕切りの下面の高さまでの間隔を、３０ｃｍ以上確保して前記有機相仕切りを配設する有機相室配設工程と、
前記セトラ室の壁隅部に界面調整器室を形成するため、縦長で直方体の水相ボックスを配設する水相ボックス配設工程と、
組み込み後の前記有機相仕切りおよび前記水相ボックスの適宜箇所にＦＲＰオーバーレイ施工をするＦＲＰ施工最終工程と、
を有するＦＲＰライニング製ミキサセトラの製造方法。
【発明の詳細な説明】
【技術分野】
【０００１】
本発明は、繊維強化プラスチック、すなわちFiber Reinforced Plastics，（以下、「ＦＲＰ」という）によりライニング施工されたミキサセトラおよびその製造方法に関する。詳しくは、函体内部の形状、構成部材あるいは施工手順に特徴のあるＦＲＰライニング製ミキサセトラおよびその製造方法に関する。
【背景技術】
【０００２】
ミキサセトラ型の溶媒抽出装置として、有機溶媒と水溶液を撹拌・混合する際、ミキサ部の構造が簡素であり、かつ生成される混合液の濃度を一定に保つことが可能なものについて知られている（例えば、特許文献１）。このミキサセトラ型の溶媒抽出装置は、有機溶媒と水溶液を撹拌翼により撹拌・混合するミキサ部と、当該ミキサ部から導入した混合液を静置することにより有機溶媒相（以下、単に「有機相」ともいう）と水溶液相（以下、単に「水相」ともいう）に比重分離させるセトラ部と、を備えているというものである。
【０００３】
その主要構成であるミキサ部は、混合液を底部側に向けて流動させる撹拌翼が回転自在に配設されている。このミキサ部とセトラ部を区画する壁部に、その壁部の鉛直方向に延設され、かつ撹拌翼の回転により底部側に向かって流れる混合液を下部開口から流入させて上部開口からミキサ部およびセトラ部に排出させる筒状の移送部が設けられている。
【０００４】
一方、ミキサセトラ抽出器として、セトラ容積を小さくして抽出時間を短くするとともに抽出効率の良いものが要望されていた。これに対し、多孔壁付きミキサセトラ抽出器として、撹拌器を有するミキサ室とこのミキサ室と流通するセトラ室とを備えたポンプ式ミキサセトラ抽出器が知られている（例えば、特許文献２）。この多孔壁付きミキサセトラ抽出器は、ミキサ室と、セトラ室と、両者の仕切部のうち、これらのうち少くとも一部に多孔質からなる多孔壁が形成されているというものである。また、この多孔壁付きミキサセトラ抽出器を多段に構成したものも知られている。
【０００５】
近年、ミキサセトラの材質は、耐蝕性の観点から、金属製の母材にＦＲＰをライニング施工した材質が多く採用されるようになった。その種のミキサセトラは、ＦＲＰライニング製ミキサセトラと呼ばれ、溶媒抽出装置の一種として普及している。ＦＲＰライニング製ミキサセトラの製造方法は、鋼材により基本的な形状を製作した後、手作業で鋼材の表面にＦＲＰライニング施工して仕上げる手順が一般的である。なお、このようなＦＲＰライニング製ミキサセトラの使用方法は、ミキサ室で有機相と水相を混合して反応させた後に、セトラ室で比重差により有機相と水相を静置分離させるという手順が一般的である。
【０００６】
ＦＲＰのライニング施工は、母材であるコンクリート、モルタル、又は木材に対する防水をはじめ、金属材料に対する腐蝕対策としても用いられ、ハンドレイアップ工法やフレークライニング工法が一般的である。ハンドレイアップ工法は、母材表面を洗浄、目荒らしした上で、ガラスマットを被せ、エポキシ系などの液状樹脂を、人手によってハケやローラで含浸させ、脱泡しながら所望の厚さまで積層する。このハンドレイアップ工法は、さまざまな形状に柔軟に対応できる最も一般的な成形法である。
【０００７】
一方、フレークライニング工法は、大型函体の内面や隔壁の表面にコーティングするような施工に好適である。この工法では、薄いガラス片をＦＲＰ同様のビニルエステルあるいはポリエステル樹脂にあらかじめ混入させたコーティング剤をスプレーガン、又はこてを用いて母材に塗り付ける。ここで混入させるガラス片は、１００〜３００メッシュ（０．１〜０．０５ｍｍ）位のものが用いられる。
【先行技術文献】
【特許文献】
【０００８】
【特許文献１】特開２０１５−９２１８号公報
【特許文献２】特開昭６３−２０５１０３号公報
【発明の概要】
【発明が解決しようとする課題】
【０００９】
しかしながら、ＦＲＰライニング施工で仕上げるミキサセトラの有機相および水相の部屋は、人が入れるような作業スペースが足りないばかりか、手に握ったハケ、ローラ、スプレーガンはおろか、こてすらも届かない奥細い箇所もある。このように狭隘な箇所については、ライニングが未施工に近い状態で使用に供せざるを得ないという問題があった。同じ理由により、施工の健全性を確認するためのピンホール検査についても実施が困難という問題もある。特に有機相の部屋に対するＦＲＰライニング施工や検査が不十分であることを原因として、例えば、部屋の内壁や仕切りのライニングで見落としたピンホールから腐蝕が進行することがある。その結果、ミキサセトラから有機溶媒が漏れ出すという危険が生じるおそれもある。
【００１０】
特許文献１のミキサセトラ型の溶媒抽出装置と、特許文献２のミキサセトラ抽出器との何れにも、ミキサセトラの構造に係る技術が開示されているが、上述の問題を含むＦＲＰライニング作業を考慮した構造については何ら記載されていない。
【００１１】
本発明は、上記問題点に鑑みてなされたものであり、その目的とするところは、ＦＲＰライニング作業性を向上するとともに、液漏れの危険性を低減するようにしたＦＲＰライニング製ミキサセトラおよびその製造方法を提供することにある。
【課題を解決するための手段】
【００１２】
本発明者らは、セトラ室で静置分離後の有機相および水相を受入れる各部屋の仕切りの材料、形状および施工方法を変更することによって、課題を解決できることを見出し、本発明を完成した。
本発明の一態様に係るＦＲＰ（Fiber Reinforced Plastics）ライニング製ミキサセトラ（１００）は、通液可能なセトラ室（９０）の内部に隔離された複数の部屋（３０，１４，５０）を有するＦＲＰライニング製ミキサセトラ（１００）であって、
前記セトラ室（９０）の内壁（１３）に一面を対向した山形の有機相仕切り（２０）で囲むことにより形成された扁平直方体の有機相出口室（３０）と、
前記セトラ室（９０）の底隅部（１８）を山形の水相仕切り（４０）で囲むことにより形成された横長直方体の底部水相室（１４）と、
前記セトラ室（９０）の壁隅部（１９）に直方体の水相ボックス（５０）を縦長に配設して形成された界面調整器室（１５）と、を備え、
前記底部水相室（１４）および前記界面調整器室（１５）は水相の液体を通液する水相の部屋（６０）であり、有機相の液体を通液する前記有機相出口室（３０）から隔離され、
前記有機相仕切り（２０）と前記水相仕切り（４０）と前記水相ボックス（５０）とをそれぞれ構成する板組部材（４０，２０，５０）は、少なくとも液没露出面（２２，４２，１２）がＦＲＰライニング耐蝕層（１）により形成されたものである。
【００１３】
また、本発明の一態様に係るＦＲＰライニング製ミキサセトラ（１００）において、前記ＦＲＰライニング耐蝕層（１）には、計測可能な大きさのピンホールが存在しないことが好ましい。
【００１４】
また、本発明の一態様に係るＦＲＰライニング製ミキサセトラ（１００）において、前記板組部材（４０，２０，５０）の芯部（２１，４１，１１）は、前記液没露出面（２２，４２，１２）を構成する前記ＦＲＰライニング耐蝕層（１）と同一材質により一体形成されているものでも良い。
【００１５】
また、本発明の一態様に係るＦＲＰライニング製ミキサセトラ（１００）において、前記板組部材（４０，２０，５０）の芯部（２１，４１，１１）は、前記液没露出面（２２，４２，１２）を構成する前記ＦＲＰライニング耐蝕層（１）とは異なる材質により構成されたものでも良い。
【００１６】
また、本発明の一態様に係るＦＲＰライニング製ミキサセトラ（１００）において、前記水相仕切り（４０）の上面の高さ（Ｈ１）は、水相と有機相との界面レベルの下限（Ｅ１）以下に設定されていることが好ましい。
【００１７】
また、本発明の一態様に係るＦＲＰライニング製ミキサセトラ（１００）において、前記セトラ室（９０）の底面（９１）を基準として、前記水相仕切り（４０）の上面までの高さ（Ｈ１）から前記有機相仕切り（２０）の下面の高さ（Ｈ２）までの間隔（Ｗ）を、３０ｃｍ以上確保して前記有機相仕切り（２０）を配設することが好ましい。
【００１８】
また、本発明の一態様に係るＦＲＰライニング製ミキサセトラ（１００）において、前記水相ボックス（５０）の前記セトラ室（９０）側の板に切欠き（５１）を有することが好ましい。
【００１９】
また、本発明の一態様に係るＦＲＰライニング製ミキサセトラ（１００）において、前記水相ボックス（５０）側の前記セトラ室（９０）の壁に施工用ハンドホール（１６）を配設することが好ましい。
【００２０】
また、本発明の一態様に係るＦＲＰライニング製ミキサセトラ（１００）の製造方法は、通液可能なセトラ室（９０）の内部に板組部材（４０，２０，５０）で隔離された複数の部屋（３０，１４，５０）を有するＦＲＰライニング製ミキサセトラの製造方法であって、
外郭のみが形成された段階の前記セトラ室（９０）の内壁（１３）に全体的なＦＲＰオーバーレイ施工をするセトラ室ＦＲＰ施工工程（Ｓ１０）と、
前記板組部材（４０，２０，５０）を前記セトラ室（９０）に組み込む前の単品毎にＦＲＰオーバーレイ施工をする板組部材ＦＲＰ施工工程（Ｓ２０）と、
前記板組部材（４０，２０，５０）および前記内壁（１３）のＦＲＰライニング耐蝕層（１）にピンホール検査を行なって不合格ならば修繕するピンホール検査修繕工程（Ｓ３０）と、
前記セトラ室（９０）の底隅部（１８）に横長直方体の底部水相室（１４）を形成するため、前記底隅部（１８）を囲む山形の水相仕切り（４０）を配設する底部水相室配設工程（Ｓ４０）と、
山形でなる前記水相仕切り（４０）の内外表面のうち作業者の手が届く外側表面だけにＦＲＰオーバーレイ施工をする水相仕切り外側ＦＲＰ施工工程（Ｓ５０）と、
前記セトラ室（９０）の底面（９１）を基準として、前記水相仕切り（４０）の上面の高さ（Ｈ１）を確認する水相仕切り上面高さ確認工程（Ｓ６０）と、
縦型扁平直方体の有機相出口室（３０）を形成するため、前記セトラ室（９０）の前記内壁（１３）に一面を対向して囲む山形の有機相仕切り（２０）の下面を、前記底面（９１）を基準として高さ（Ｈ２）を確認する有機相仕切り下面高さ確認工程（Ｓ７０）と、
前記水相仕切り（４０）の上面の高さ（Ｈ１）から前記有機相仕切り（２０）の下面の高さ（Ｈ２）までの間隔（Ｗ）を、３０ｃｍ以上確保して前記有機相仕切り（２０）を配設する有機相室配設工程（Ｓ８０）と、
前記セトラ室（９０）の壁隅部（１９）に界面調整器室（１５）を形成するため、縦長で直方体の水相ボックス（５０）を配設する水相ボックス配設工程（Ｓ９０）と、
組み込み後の前記有機相仕切り（２０）および前記水相ボックス（５０）の適宜箇所にＦＲＰオーバーレイ施工をするＦＲＰ施工最終工程（Ｓ１００）と、を有するものである。
【発明の効果】
【００２１】
本発明によれば、ＦＲＰライニング作業性を向上するとともに、液漏れの危険性を低減するようにしたＦＲＰライニング製ミキサセトラおよびその製造方法を提供することができる。
【図面の簡単な説明】
【００２２】
【図１】本発明の一実施形態に係るＦＲＰライニング製ミキサセトラ（以下、「本ミキサセトラ」ともいう）全体を説明する概略図であり、図１（Ａ）は正面から透視する縦断面図、図１（Ｂ）は図１（Ａ）におけるＦ−Ｆ線による側断面図である。
【図２】図２は、図１に示した本ミキサセトラにおけるＲ部を拡大して複数の部屋を説明するＲ部拡大斜視図である。
【図３】図２に示した複数の部屋を構成する仕切り等について説明する分解斜視図であり、図３（Ａ）は有機相仕切り、図３（Ｂ）は水相仕切り、図３（Ｃ）は水相ボックス、図３（Ｄ）は組み立て図、をそれぞれ示す斜視図である。
【図４】図３（Ａ）〜図３（Ｃ）に示した仕切り等について、芯部を構成する母材の表面をＦＲＰライニング耐蝕層で被覆した状態を説明するための一部拡大断面図である。
【図５】本発明の一実施形態に係るＦＲＰライニング製ミキサセトラの製造方法（以下、「本方法」ともいう）の手順を説明するフローチャートである。
【発明を実施するための形態】
【００２３】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２４】
図１は、本ミキサセトラ全体を説明する概略図であり、図１（Ａ）は正面から透視する縦断面図であり、図１（Ｂ）は図１（Ａ）におけるＦ−Ｆ線による側断面図である。図１（Ａ）に示すように、ＦＲＰライニング製ミキサセトラ１００は、隣接するミキサ室８０とセトラ室９０とにより基本構成されている。ミキサ室８０は、有機相と水相を混合する。セトラ室９０は、混合した溶液を静置分離する。
【００２５】
ここで、本ミキサセトラ１００全体の構成と、被処理液の大まかな流れと、を併せて説明する。ミキサ室８０は、上方に配設されたミキサモータ７０と、その下方に軸支されミキサモータ７０により軸回転する撹拌翼７３と、を備えて攪拌機が構成されている。この攪拌機で有機相と水相、すなわち油水を撹拌混合する。
【００２６】
攪拌機で油水を撹拌混合し、不図示の汲み上げポンプで揚液された混合溶液は、不図示の短い樋を経由してセトラ室９０に流れ落ちる（矢印Ｇ）。樋を経由する間に、比重で区別されて粗分離された各溶液は、セトラ室９０でさらに静置分離される。
【００２７】
セトラ室９０に流れ落ちた水相（矢印Ｊ）および有機相（矢印Ｍ）は、図１（Ａ）の右から左へと移動する。図示を省略するが、樋を長くし、整流板を備えるなどにより、分離効果を高めるようにしてもよい。
【００２８】
図２は、図１に示した本ミキサセトラにおけるＲ部を拡大して複数の部屋を説明するＲ部拡大斜視図である。
図３は、図２に示した複数の部屋を構成する仕切り等について説明する分解斜視図であり、図３（Ａ）は有機相仕切り、図３（Ｂ）は水相仕切り、図３（Ｃ）は水相ボックス、図３（Ｄ）は組み立て図、をそれぞれ示す斜視図である。
【００２９】
以下、図２、および図３も交えて界面調整器室１５および有機相出口室３０について、それらの構成と液流を詳細に説明する。図1〜図３に示すように、セトラ室９０を四方から囲む壁１３のうち、ミキサ室８０との隣接部から遠い壁際には、界面調整器室１５（水相）および有機相出口室３０が形成されている。セトラ室９０で静置分離された水相および有機相は、それぞれが界面調整器室１５（矢印Ｋ，Ｙ）および有機相出口室３０（矢印Ｎ，Ｐ）に分かれて本ミキサセトラ１００の外部へ流出する（矢印Ｙ，Ｐ）。
【００３０】
ミキサ室８０との隣接部から遠いセトラ室９０には、有機相出口室３０および界面調整器室１５が配設されている。界面調整器室１５は、後述するように、水相と有機相との界面の高さを、下限Ｅ１〜上限Ｅ２の範囲内に調整するものである。有機相出口室３０は、Ｌ字断面で山形の有機相仕切り２０により、セトラ室９０の底部から離れた高い領域を囲むことにより形成され、比重の小さい（軽い）有機相を通液する。一方、界面調整器室１５は、底部水相室１４に連通しており、比重の大きい（重い）水相を通液する。底部水相室１４は、Ｌ字断面で山形の水相仕切り４０により、セトラ室９０の底部に近い領域を囲んで形成されている。
【００３１】
図３（Ｃ）に示すように、界面調整器室１５は、中仕切り６１により上方領域６２と下方領域６３との区画が隔離されている。中仕切り６１には、その中央を貫通し上方領域６２に向けて延在する界面調整筒６４が立設されている。この界面調整筒６４の先端は、上方領域６２の空中に水相噴出口６５を開口しているので、下方領域６３から上方領域６２に向けて通液可能である。
【００３２】
界面調整器室１５において、上方領域６２は外気に対して開放構造であるため大気圧に近い。一方、下方領域６３は、底部水相室１４に連通しているので、稼働中なら充填された水相による液圧が生じている。そのため、図３（Ｄ）矢印Ｔに示すように、底部水相室１４の水相がその液圧によって、界面調整筒６４を上昇することにより中仕切り６１を貫通し、界面調整筒６４の先端に開口している水相噴出口６５から、図３（Ｄ）矢印Ｕに示すように、大気圧に打ち勝って上方へと溢れ出る。水相が溢れ出ることにより、セトラ室９０の液面および液圧は下がる。その結果、落差が減少するので、ある液面において均衡する。このような作用により、界面調整器室１５は、液面より下に位置する界面の高さを、下限Ｅ１〜上限Ｅ２の範囲内に調整する。
【００３３】
したがって、水相噴出口６５の高さ、口径、被処理液の流出入量との関係によりセトラ室９０の液面も規定される。水相噴出口６５の高さおよび口径が一定ならば、不図示の流量調整バルブの開度を調整して被処理液の流出入量を制御することにより、セトラ室９０の液面を任意高さに設定することが可能である。
【００３４】
図３（Ｄ）に示すように、有機相仕切り上辺２９の高さＶは、水相と有機相との界面レベルの上限Ｅ２よりも少し高く設定されている。界面の高さが下限Ｅ１〜上限Ｅ２の範囲内に管理された状態で、軽い有機相は有機相仕切り上辺２９を乗り越えて有機相出口室３０へと連続的に流入する。一方、セトラ室９０の底面９１と、水相仕切り下辺４４との間に設けられた水相仕切り隙間４５を通して、重い水相が底部水相室１４へと連続的に流入する。
【００３５】
セトラ室９０で水相と有機相とに静置分離された被処理液のうち、水相は底部水相室１４から界面調整筒６４を上昇し、水相噴出口６５から界面調整器室１５の上方領域６２に溢れ出る。水相の液面は、それより比重の小さな有機相が被さるので、水相と有機相との界面を形成している。界面調整器室１５において、界面調整筒６４の長さ、およびその先端に開口している水相噴出口６５の高さが規定されていれば、それに応じて界面も適切な高さに管理される。
【００３６】
それぞれの部屋には流出口があり、図示せぬ別々のミキサセトラへと重力流により送液される。セトラ室９０で最も低い所に位置する底部水相室１４に連通する界面調整器室１５の下方の壁には、大口径の第１水相出口６７が配設されている。界面調整器室１５の中位の高さの壁には小口径の第２水相出口６８が配設されている。セトラ室９０で最も高い所に位置する有機相出口室３０の上方には、大口径の第１有機相出口３１が配設され、その少し下方には小口径の第２有機相出口３２が配設されている。
【００３７】
各流出口から流出する被処理液は、適宜段数のミキサセトラを経ることで、より高精度の静置分離がなされる。なお、これらのミキサセトラは、危険物である有機溶液を取り扱うため、消防法でいう危険物を取り扱う機器に規定されている。そのため、消防署等に対し、ミキサセトラを構成する部材の材質、板厚等が記載された図面を提出する法的義務もある。その趣旨は、ミキサセトラの構成部材が腐蝕して有機溶液が流出する危険を防止することにある。
【００３８】
上述のように、ミキサセトラには、有機溶液の漏洩を阻止するように手厚い防護対策を必要とするにもかかわらず、その対策のための施工が困難な箇所がある。特に、底部水相室１４、界面調整器室１５、および有機相出口室３０は、奥細く狭隘であり作業者の手が届き難いため、オーバーレイ施工および検査等が困難な箇所がある。これに対し、防護対策が不完全である場合、有機溶液が漏洩する恐れが生じる。
【００３９】
そこで、界面調整器室１５、および有機相出口室３０について、図２、図３に例示するような構成を採用することにより困難を克服し、完全なオーバーレイ施工ができる構造にした。なお、ここでは他社設計による界面調整器室、および有機相出口室を改造することにより、本発明の目的を達成できたことを例示している。しかし、このような改造に限定することなく、新規に製造されるミキサセトラに採用しても効果的であることはいうまでもない。
【００４０】
図１〜図３に示すように、セトラ室９０で水相と有機相とに静置分離された被処理液のうち、一方の水相は底部水相室１４を経由して界面調整器室１５に流入し、他方の有機相は有機相出口室３０に流入する。セトラ室９０の内部は、有機相出口室３０と、水相の部屋６０とに隔離されている。これらのうち水相の部屋６０は、底部水相室１４および水相ボックス５０が連通して構成されている。
【００４１】
有機相出口室３０は、セトラ室９０の内部を有機相仕切り２０で隔離され、水相の部屋６０に対して高い領域を占有するように形成されている。このため、有機相出口室３０は、分離された軽い有機相のみを選択的に収容して通液させる。これに対し、水相の部屋６０は、セトラ室９０の低い領域を占有する底部水相室１４と、それに連通する界面調整器室１５により構成されている。このため、水相の部屋６０は、分離された重い水相のみを選択的に収容して通液させる。また、界面調整器室１５は、水相ボックス５０で囲まれた内部に形成されている。
【００４２】
有機相出口室３０は、セトラ室９０の内壁１３に一面を対向した山形の有機相仕切り２０で囲むことにより、扁平直方体に形成された領域である。底部水相室１４は、セトラ室９０の底隅部１８を山形の水相仕切り４０で囲むことにより、横長直方体に形成された領域である。界面調整器室１５は、セトラ室９０の壁隅部１９に、縦長に配設された直方体の水相ボックス５０の内部領域に形成されている。
【００４３】
図４は、図３（Ａ）〜図３（Ｃ）に示した仕切り等について、芯部２１，４１，１１を構成する母材の表面をＦＲＰライニング耐蝕層で被覆した状態を説明するための一部拡大断面図である。図４に示すように、有機相仕切り２０と水相仕切り４０と水相ボックス５０は、それらと同一符号で示す板組部材４０，２０，５０により構成されている。この板組部材４０，２０，５０は、芯部２１，４１，１１が鋼板等により構成され、少なくとも液没露出面２２，４２，１２にＦＲＰライニング耐蝕層１を被覆するように形成されている。
【００４４】
このように、板組部材４０，２０，５０の芯部２１，４１，１１が、液没露出面２２，４２，１２を構成するＦＲＰライニング耐蝕層１とは異なる材質で構成されている場合、組み立て前の単品状態で品質管理される。すなわち、このＦＲＰライニング耐蝕層１は、所定のピンホール検査に合格してからセトラ室９０の組み立てに供することが義務付けられている。なお、検査した結果が不合格であり、計測可能な大きさのピンホールが存在すれば、再検査に合格するように適切な修繕をすることが義務付けられている。
【００４５】
このように、有機相仕切り２０と水相仕切り４０と水相ボックス５０は、それぞれが単品の状態であらかじめＦＲＰライニング施工し、耐蝕層１を被覆するように、およびピンホール検査に合格してしてから、セトラ室９０の内部に組み込まれる。そうすることにより、特に、手が届きにくい底部水相室１４、有機相出口室３０、および水相ボックス５０の内部について、ＦＲＰライニング施工およびピンホール検査は、狭隘な箇所を避けて、実施に適した広い場所での作業が可能であり品質管理も容易になる。
【００４６】
なお、有機相仕切り２０、水相仕切り４０および水相ボックス５０は、それぞれがセトラ室９０の内壁１３や底面９１に接合する辺部を覆い隠すように、液漏れ防止用のＦＲＰオーバーレイが施工されることで固着される。その辺部に対するＦＲＰオーバーレイ施工は、手の届く範囲内で足りる。つまり、組み立て後には、手が届きにくい底部水相室１４、有機相出口室３０、および水相ボックス５０の内部については、組み立て前の単品状態でＦＲＰライニング施工およびピンホール検査合格済みである。したがって、これらを構成する板面に対し、組み立て後に、さらなる施工および検査は不要である。
【００４７】
一方、板組部材４０，２０，５０の芯部２１，４１，１１が、液没露出面２２，４２，１２を構成するＦＲＰライニング耐蝕層１と同一材質により一体形成された構造であっても良い。つまり、図４に示した芯部２１，４１，１１が、ＦＲＰライニング耐蝕層１と同一材質により一体形成された構造である。その場合、該当部材に対するピンホール検査は、必ずしも厳格である必要はなく、省略しても構わない。ピンホールがあったとしても、そこから腐蝕が拡大するおそれはないからである。
【００４８】
また、図３（Ｄ）に示すように、セトラ室９０の底面９１を基準として、水相仕切り４０の上面までの高さＨ１から有機相仕切り２０の下面の高さＨ２までの間隔Ｗを、少なくともＦＲＰオーバーレイ施工できるように３０ｃｍ以上確保して有機相仕切り２０を配設することが好ましい。つまり、有機相仕切り２０、水相仕切り４０および水相ボックス５０は、それぞれの辺部でセトラ室９０の内壁１３や底面９１に接合する。この辺部に対しては、液漏れ防止用のＦＲＰオーバーレイ施工が必要である。そのため、工具等を握った作業者の手が届く範囲内で済むように作業性を考慮した結果、上述の間隔Ｗを３０ｃｍ以上確保することにしている。
【００４９】
また、水相仕切り４０の上面の高さＨ１は、水相と有機相との界面レベルの下限Ｅ１以下に設定されている。これにより、水相仕切り４０の全体が、界面レベルの下限Ｅ１以下に液没する。したがって、水相仕切り４０に係る板組部材およびその辺部の全てが同じ水相となるので、仮にオーバーレイの施工不良によるピンホールがあったとしても、そこからの腐蝕は進みにくい。そのため、水相仕切り４０に囲まれた底部水相室１４へ有機相が漏れて混入する危険性は少ない。
【００５０】
また、水相ボックス５０のセトラ室９０の壁面に密着する側の板に、切欠き５１，５２を有することが好ましい。その場合、切欠き５１，５２の板厚面が、セトラ室９０の壁面に対して垂直に交わることにより、その板厚面から壁面にかけて連続的にＦＲＰオーバーレイされる箇所が得られる。この連続箇所は、セトラ室９０の壁面に対して水相ボックス５０を強く接着する作用効果がある。したがって、切欠き５１，５２を設けることにより両者の接着強度を増す構造となる。
【００５１】
また、水相ボックス５０側のセトラ室９０壁に、方形窓状の施工用ハンドホール１６を配設した。この施工用ハンドホール１６とは、施工時の便宜を計るため、ある段階まで開口しておき、完成時には液密に閉じてしまう蓋つきの窓である。これにより、水相ボックス５０の内部のＦＲＰオーバーレイ施工を容易にすることが可能となる。このような材料、形状および施工方法とすることで、ピンホール検査の実施も容易になり有機相の液漏れリスクを軽減できる。
【００５２】
図５は、本発明の一実施形態に係るＦＲＰライニング製ミキサセトラの製造方法（本方法）の手順を説明するフローチャートである。本方法は、通液可能なセトラ室９０の内部に隔離された複数の部屋３０，１４，５０を有するＦＲＰライニング製ミキサセトラの製造方法である。複数の部屋３０，１４，５０とは、有機相出口室３０、底部水相室１４、および水相ボックス５０である。また、底部水相室１４および水相ボックス５０を合わせて水相の部屋６０という。
【００５３】
図５に示すように、本方法は、セトラ室ＦＲＰ施工工程（Ｓ１０）と、板組部材ＦＲＰ施工工程（Ｓ２０）と、ピンホール検査修繕工程（Ｓ３０）と、底部水相室配設工程（Ｓ４０）と、水相仕切り外側ＦＲＰ施工工程（Ｓ５０）と、水相仕切り上面高さ確認工程（Ｓ６０）と、有機相仕切り下面高さ確認工程（Ｓ７０）と、有機相室配設工程（Ｓ８０）と、水相ボックス配設工程（Ｓ９０）と、ＦＲＰ施工最終工程（Ｓ１００）と、を有する。
【００５４】
まず、セトラ室ＦＲＰ施工工程（Ｓ１０）により、セトラ室９０の外郭のみが形成された段階のセトラ室９０の内壁１３に全体的なＦＲＰオーバーレイ施工をする。つぎに、板組部材ＦＲＰ施工工程（Ｓ２０）により、板組部材４０，２０，５０をセトラ室９０に組み込む前段階で、単品毎にＦＲＰオーバーレイ施工をする。なお、板組部材４０，２０，５０とは、水相仕切り４０、有機相仕切り２０、水相ボックス５０をそれぞれ構成するように、板状部材を曲げたりつないだりして組み合わせたものである。なお、各部材について、図面の都合により同一符号を付している。
【００５５】
つぎに、ピンホール検査修繕工程（Ｓ３０）により、板組部材４０，２０，５０、および内壁１３のＦＲＰライニング耐蝕層１にピンホール検査を行なう。すなわち、セトラ室９０の内部に組み込む前に、ＦＲＰオーバーレイ施工を済ませた水相仕切り４０、有機相仕切り２０、および水相ボックス５０にピンホール検査を行う。また、内壁１３のＦＲＰライニング耐蝕層１にピンホール検査を行う。その検査結果が不合格ならば合格できるまで修繕する。つぎに、底部水相室配設工程（Ｓ４０）により、セトラ室９０の底隅部１８に横長直方体の底部水相室１４を形成するため、底隅部１８を囲む山形の水相仕切り４０を配設する。
【００５６】
つぎに、水相仕切り外側ＦＲＰ施工工程（Ｓ５０）により、山形でなる水相仕切り４０の内外表面のうち作業者の手が届く外側表面だけにＦＲＰオーバーレイ施工をする。つぎに、水相仕切り上面高さ確認工程（Ｓ６０）により、水相仕切り４０の上面の高さＨ１を確認する。つぎに、有機相仕切り下面高さ確認工程（Ｓ７０）により、縦型扁平直方体の有機相出口室３０を形成するため、セトラ室９０の内壁１３に一面を対向して囲む山形の有機相仕切り２０の下面の高さＨ２に確認する。
【００５７】
つぎに、有機相室配設工程（Ｓ８０）により、水相仕切り４０の上面の高さＨ１から有機相仕切り２０の下面の高さＨ２までの間隔Ｗを、少なくともＦＲＰオーバーレイ施工できるように３０ｃｍ以上確保して有機相仕切り２０を配設する。つまり、作業性を考慮し、作業者の手が間隔Ｗに入るようにする。つぎに、水相ボックス配設工程（Ｓ９０）により、セトラ室９０の壁隅部１９に界面調整器室１５を形成するため、縦長で直方体の水相ボックス５０を配設する。最後に、ＦＲＰ施工最終工程（Ｓ１００）により、組み込み後の有機相仕切り２０および水相ボックス５０の適宜箇所にＦＲＰオーバーレイ施工をする。
【００５８】
上述のように、水相仕切り４０の上面から有機相仕切り２０の下面までの間隔Ｗが３０ｃｍ以上確保されているので、その間隔Ｗに余裕をもって手を入れながらＦＲＰオーバーレイ施工ができる。つまり、水相仕切り４０の上面および有機相仕切り２０の下面、あるいはそれらの面に係る縁取り部、すなわち辺部が、内壁１３や底面９１に接着される部分についても、難なくＦＲＰオーバーレイ施工ができる。さらに、施工時にのみ開口している施工用ハンドホール１６から、水相ボックス５０の内部まで手が入るので、そこも難なくＦＲＰオーバーレイ施工ができる。
【００５９】
以上、説明したように、本発明によれば、ＦＲＰライニング作業性を向上するとともに、液漏れの危険性を低減するようにしたＦＲＰライニング製ミキサセトラおよびその製造方法を提供できる。本発明の実施形態に係るＦＲＰライニング製ミキサセトラおよびその製造方法は、ＦＲＰライニングの作業を容易にし、当該部分の欠陥検査を容易にすることができるので、その工業的価値は大きい。
【産業上の利用可能性】
【００６０】
本発明に係るＦＲＰライニング製ミキサセトラおよびその製造方法は、貴金属、レアアースやレアメタルなどの希土類金属を溶媒抽出する際の溶媒抽出装置およびその製造方法として採用される可能性がある。
【００６１】
なお、上述のように本発明の各実施形態および各実施例について詳細に説明したが、本発明の新規事項および効果から実体的に逸脱しない多くの変形が可能であることは、当業者には、容易に理解できるであろう。したがって、このような変形例は、全て本発明の範囲に含まれるものとする。
【００６２】
例えば、明細書又は図面において、少なくとも一度、より広義又は同義な異なる用語と共に記載された用語は、明細書又は図面のいかなる箇所においても、その異なる用語に置き換えることができる。また、ＦＲＰライニング製ミキサセトラおよびその製造方法も本発明の実施形態で説明したものに限定されず、種々の変形実施が可能である。
【符号の説明】
【００６３】
１  ＦＲＰライニング耐蝕層、１１，２１，４１  芯部、１２，２２，４２  液没露出面、１３  （セトラ室９０）の内壁、１４  底部水相室、１５  界面調整器室、１６  （水相ボックス５０側のセトラ室９０の壁に設けた）施工用ハンドホール、１８  （セトラ室９０の）底隅部、１９  （セトラ室９０）の壁隅部、２０  有機相仕切り、２９  有機相仕切り上辺、３０  有機相出口室、３１  第１有機相出口、３２  第２有機相出口、４０  水相仕切り、４４  水相仕切り下辺、４５  水相仕切り隙間、５０  水相ボックス、５１，５２  （水相ボックス５０のセトラ室９０側の壁に設けた）切欠き、６０  水相の部屋、６１  中仕切り、６２  上方領域、６３  下方領域、６４  界面調整筒、６５  水相噴出口、６７  第１水相出口、６８  第２水相出口、７０  ミキサモータ、７３  撹拌翼、８０  ミキサ室、９０  セトラ室、９１  （セトラ室９０）底面、１００  ＦＲＰライニング製ミキサセトラ（本ミキサセトラ）、Ｅ１  （界面の）下限、Ｅ２  （界面の）上限、Ｇ，Ｊ，Ｋ，Ｍ，Ｎ，Ｔ，Ｕ，Ｙ  矢印、Ｈ１  （水相仕切り４０の上面の）高さ、Ｈ２  （有機相仕切り２０の下面の）高さ、Ｖ  有機相仕切り上辺２９の）高さ、Ｓ１０  セトラ室形成工程、Ｓ２０  板組部材ＦＲＰ施工工程、Ｓ３０  ピンホール検査修繕工程、  Ｓ４０  底部水相室形成工程、  Ｓ５０  水相仕切り外側ＦＲＰ施工工程、Ｓ６０  水相仕切り上面高さ確認工程、Ｓ７０  有機相仕切り下面高さ確認工程、Ｓ８０  有機相室配設工程、Ｓ９０  水相ボックス配設工程、Ｗ  （高さＨ１〜Ｈ２の）間隔
【図１】
2018023916.tif 000003
【図２】
2018023916.tif 000004
【図３】
2018023916.tif 000005
【図４】
2018023916.tif 000006
【図５】
2018023916.tif 000007